Podtech/llm-jp-corpus-v4-ja_patent huggingface dataset:
(57)【要約】      （修正有）【課題】弁当、折詰等の中に入っている調味料の容器は指でつまんでねじ蓋を外す際に食物の水分、汁、油等で指が汚れる欠点があった。本発明は調味料の小出し容器を箸で挟むか、孔に箸を挿入し開口部を開いて簡単に調味料を取り出すことにより、指を汚さずに調味料を使用することを目的とする。【解決手段】調味料が充填された小出し容器の上部の凹部を箸で挟むか、或は小出し容器の上部の孔に箸を挿入して小出し容器の上部が密着するように挟めば、小出し容器の下部の開口部から調味料の液滴が滴下し、指を食物の水分、汁、油等で汚すことなく、調味料を食物に添加することができる。【選択図】図２
2005343560.tif 000002
【特許請求の範囲】
【請求項１】
調味料の小出し容器の本体Ｂ（２）の突起部（５）の中央にある心棒（直径１ｍｍ）（６）を小出し容器のＡ（１）の突起物（３）の中央にある孔（４）（直径１．１ｍｍ）に挿入して、小出し容器Ａ（１）と小出し容器Ｂ（２）を結合し、小出し容器Ａ（１）と小出し容器Ｂ（２）の上部の箸で挟む凹部（８）をつまんで小出し容器Ａ（１）と小出し容器Ｂ（２）を結合し、小出し容器Ａ（１）と小出し容器Ｂ（２）の上部箸で挟む凹部（８）をつまんで小出し容器Ａ（１）と小出し容器Ｂ（２）の下部の開口2005343560.tif 000003
振りかけることができることを特徴とし、或は箸を利用して使用するすべての調味料小出し容器。
【発明の詳細な説明】
【発明の詳細な説明】
【０００１】〔発明の属する技術分野〕本発明は弁当箱等で使用される醤油、ソース等の調味料小出し容器に関するものである。
【０００２】〔従来の技術〕従来、弁当箱、折詰等の食物の中に入っている醤油、ソース等の調味料小出し容器は食物の水分、汁、油等で汚れているので、上記小出し容器を取り出して、調味料を食物に振りかけようとする時に小出し容器に付着している食物の水分、汁、油等で指が汚れるという欠点があった。そこで本発明者は箸で挟むだけで調味料小出し容器Ａ，Ｂの下部の開口部を開き、調味料を滴下することによって食物の水分、汁、油等で指を汚すことなく容易に調味料を取り出すことを可能にした。
【０００３】〔発明が解決しようとする課題〕従来の調味料小出し容器は弁当、折詰等の食物の中に入っているので、食物の水分、汁、油等が付着した、小出し容器を指でつまんで調味料を取り出さざるを得ないために、指が汚れて不快だった。解決の課題として指を汚さないで調味料を取り出すことが望まれていた。
【０００４】〔課題を解決するための手段〕本発明の調味料の収納容器は上記課題を達成するため調味料の小出し容器Ａ（１）と小出し容器Ｂ（２）の中空部に醤油、ソース等の調味料を充填し、小出し容器Ａ（１）と小出し容器Ｂ（２）の下部の開口部を密着した状態で弁当箱の食物の中に入れておく。食事するに当たって調味料の収納容器を箸でつまみ、上部の両凹部を箸で挟むと調味料は滴下し、これによって食物の水分、、汁、油等で指を汚すことなく調味料を使用することができる。
【０００５】〔発明の実施の形態〕調味料が充填された小出し容器を弁当、折詰の食物の中に入れておき、食事に際しては調味料の小出し容器Ａ（１）と小出し容器Ｂ（２）の箸で挟む凹部（８）を箸で挟んで小出し容器Ａ（１）と小出し容器Ｂ（２）の上部を密着するようにすれば、調味料の液滴が滴下し、指を食物の水分、汁、油等で汚さないで調味料を添加することができる。或は小出し容器Ｃ（１１）と小出し容器Ｄ（１２）の上端の孔（１３）に箸を挿入して、小出し容器Ｃ（１１）とＤ（１２）の上端を密着するようにすれば、調味料の液滴が滴下し、食物の水分、汁、油で指を汚さないで調味料を添加することができる。この場合小出し容器の放出口を下向に向けたまま開閉が可能となり閉じた状態で滴下場所まで移動でき目的物に滴下できる。
【符号の説明】
１、小出し容器の本体Ａ                ９、調味料の液滴２、小出し容器の本体Ｂ              １０、小出し容器の下部の開口部３、本体Ａの突起部                  １１、小出し容器の本体Ｃ４、突起部の孔（直径１．１ｍｍ）    １２、小出し容器の本体Ｄ５、本体Ｂの突起部                  １３、小出し容器の箸を挿入する孔６、突起部の心棒（直径１ｍｍ）７、本体Ｂの下部開口部の突起部８、小出し容器を箸で挟む凹部
【図面の簡単な説明】
【図１】本発明の調味料小出し容器Ａ、Ｂを分離した状態を示す横視図である。
【図２】小出し容器Ａ、Ｂを結合した状態を示す横視図である。
【図３】小出し容器の上部の凹部を箸で挟んで調味料を取り出す状態を示す横視図である。
【図４】小出し容器の横視面を示す図である。
【図５】小出し容器Ａ、Ｂを結合した状態を示す図２とは、箸で挟む形態が違った横視図である。
【図１】
2005343560.tif 000004
【図２】
2005343560.tif 000005
【図３】
2005343560.tif 000006
【図４】
2005343560.tif 000007
【図５】
2005343560.tif 000008
(57)【要約】      （修正有）【課題】ポンプ式容器の詰め替え作業をポンプネジ部を外すことなく、簡単に作業ができ、ストロー部を外に出すことによって発生していた液だれを防ぐ。【解決手段】ポンプ式容器の肩部にポンプ部とは別の詰め替え作業専用の開口部４を設け、同開口部を閉塞する固定用のツメを備えた蓋５を設ける。なお、詰め変え時にはポンプネジ部を外さずに蓋に一体的に設けられた開封用のつまみを引き上げることにより簡単に開口でき、詰め替え容器より内容物の注入が簡単に行える。【選択図】図１
2005343559.tif 000002
【特許請求の範囲】
【請求項１】
各家庭で使われている、シャンプー、リンスなどのポンプ式容器（１）には、詰め替え口（４）がなく詰め替え作業にはポンプネジ部（２）を外さなければ行えなかった。この発明において、詰め替え口（４）を設けることで詰め替え作業が簡単に行える。またこの詰め替え口（４）に付随してツメ付き蓋（５）を同時に設ける。
【請求項２】
従来の丈夫なポンプ容器（１）を出来る限り変化させる事なく、詰め替え口（４）を設け、ツメ付き蓋（５）はできるだけ透明度のあるカラフルなものを使えばデザイン的にもインパクトのある容器になると考える。
【発明の詳細な説明】
【技術分野】
【０００１】本発明は、ポンプ式容器（１）に詰め替えを行うときに使用する詰め替え口（４）を設けることで詰め替え作業を簡単にするものである。また詰め替え口（４）と付随するものとして、密閉度の高いツメ付き蓋（５）を付随させる。
［背景技術］【０００２】従来のポンプ式容器（１）には、詰め替え用商品が市場に出回っているのに、詰め替え口（４）が存在しておらず詰め替えには、ポンプネジ部（２）を外して詰め替え作業をしなければいけなかった、ポンプネジ部（２）を外すことによりポンプ容器（１）内にあったストロー部（６）から、液もれする事がひんぱんにあった。【０００３】この改善により、詰め替え時にポンプネジ部（２）を外すことなく、より簡単に作業が行え、詰め替え口（４）を開けて、残り少なくポンプにより吸い上げられなくなった内容物も簡単に出すことも可能となり、ポンプ式容器（１）内を洗うのも簡単に行える。
［特許文献１］特開平１０−９５４５２を一応拝見させて頂いた。
［発明の開示］
［発明が解決しようとする課題］【０００４】ポンプ式容器（１）に詰め替えをしようとする時にポンプネジ部（２）を外すことなく、簡単にこの作業ができまたストロー部（６）を外に出すことによって発生していた液だれを防ぐ。
［課題を解決するための手段］【０００５】本発明は、ポンプネジ部（２）付近に詰め替え口（４）を設けることにより、詰め替え作業を簡単に、また詰め替え口（４）のツメ付き蓋（５）を密閉度の高いものにすれば内容物が外に流出するのを防ぐ事ができる。
［発明の効果］【０００６】本発明の効果として、課題に上げた、ポンプネジ部（２）を外す事なく作業することができると同時にポンプ容器内（１）の液だれを防ぐ事もできた。
［発明を実施するための最良の形態］【０００７】ポンプネジ部（２）付近には、あまりスペースがないので約３ｃｍ程度の詰め替え口（４）として、図１図２のような少々半円形のような形や、ポンプ式容器（１）じたいの形により、図３のような長細い形にしたり、様々な形が考えられる。ツメ付き蓋（５）はできるかぎり、透明度のよい、色付きにすれば、ツメ付き蓋（５）がポンプ式容器（１）のアクセントにまた、ポンプ式容器（１）自体が丈夫な物であるのでツメ付き蓋（５）は、少し弾力のある素材がよいと考える。
［実施例１］【０００８】本発明の実施例１として、家庭においてポンプ式容器（１）のポンプネジ部（２）付近に穴をあけ、詰め替え口（４）とし、ポンプ式容器（１）のポンプが正常に働くのかたしかめてみた。
［実施例２］【０００９】本発明の実施例１で作った容器の詰め替え口（４）にて、詰め替えを行ったところ、簡単に行えた。
［産業上の利用可能性］【００１０】本発明は、従来の形をあまり変化させる事なく、少し工夫する事をポイントに、また詰め替え用商品があるのに詰め替え口（４）の存在がなかったものを、存在させた事により詰め替え作業をより簡単にできる事を実証した。この事を応用すれば、台所洗剤の容器にもその他の物にも適用できるものと思われる。
【図面の簡単な説明】
【００１１】［図１］実施例１ポンプ式容器（１）のポンプネジ部（２）付近に穴を開け詰め替え口（４）とした、他のプラスチックをこの口の大きさに合せて切り、ツメ部を付けてツメ付き蓋（５）とした。
［図２］図１で作ったポンプ式容器（１）に詰め替えを実施してみたら、簡単に、液だれもなく作業ができた。
［図３］ポンプ式容器（１）自体の形により様々な形の詰め替え口（４）とツメ付き蓋（５）が考えられる例。
［図４］密閉度の高い詰め替え口（４）とツメ付き蓋（５）の断面図。
【符号の説明】
【００１２】１：ポンプ式容器本体
２：ポンプネジ部
３：押し下げヘッド
４：詰め替え口
５：ツメ付き蓋
６：ストロー部
７：詰め替え用品
８：手
【図１】
2005343559.tif 000003
【図２】
2005343559.tif 000004
【図３】
2005343559.tif 000005
【図４】
2005343559.tif 000006
(57)【要約】【課題】  極薄複合材、厚み１．０ｍｍ以下の加工を容易にし量産を可能とした。【解決手段】  複合材の内側素材にてテーパーを付け外側素材に挿入後、圧力を加えることで極薄複合材が完成する。【選択図】  図１
2005343159.tif 000002
【特許請求の範囲】
【請求項１】
厚さ１．０ｍｍ以下の多重構造以上の複合材の製造方法。
【発明の詳細な説明】
【発明の詳細な説明】
【０００１】  本発明は、厚さ１．０ｍｍ以下の多重構造以上の複合材で、形状の中には複数の多重構造も可能とした製造方法で、形状は丸型でも角型でも可能としたため、例えば、温度センサーの緩衝材としても利用できる。
【０００２】  従来の溶接多重構造絞込み製造で長物製作後にカットで、極薄複合材を量産するには、１．０ｍｍ以下の加工は難しくコストも高くなり量産には適さないものであった。
【０００３】  本発明は、複合材の内側素材にてテーパーを付け外側素材に挿入後、圧力を加えることで極薄複合材、１．０ｍｍ以下の加工を容易にし量産を可能とした。複合材の内側素材の外形を波状若しくは多角形にすることで、外側素材とより強固に固定が可能となる。
【図面の簡単な説明】
【図面１】
極薄複合材の加工図。
【図面２】
極薄複合材、内側素材の外形を波状若しくは多角形にした加工図。
【図面３】
極薄複合材、内側素材の複数を用いた加工図。
【符号の説明】
１  外側素材
２  内側素材
３  外側素材０．５ｍｍ〜２．０ｍｍ
４  内側素材のテーパー状態
５  外側素材のホール
【図１】
2005343159.tif 000003
【図２】
2005343159.tif 000004
【図３】
2005343159.tif 000005
(57)【要約】【課題】筆の穂の形態が制約されないで、一筆で変化に富む線や面が描くことができ、また水のない所でも筆が使える筆の穂を提供する。【解決手段】吸水性発泡ポリウレタン樹脂材を穂に用いることを特徴とした筆の穂。【選択図】図１
2005343161.tif 000002
【特許請求の範囲】
【請求項１】
吸水性発泡ポリウレタン樹脂材を用いた筆の穂。
【発明の詳細な説明】
【技術分野】
【０００１】本発明は、書や絵画を描くときに使用する筆の穂に関するものである。
【背景技術】
【０００２】  従来、筆と言えばその穂は、狸・兎・鹿など動物の毛を中心としたものが一般的であったが、化学繊維などのものも見られるようになった。しかし、これらの材料に代わり、絵柄により、穂の形態も従来のドングリ型や平筆などの定型的な物だけではなく、一筆で変化に富む線や面を誰でも描きやすくすることのできるような画期的な穂を持つ筆の出現が望まれていた。
【発明の開示】
【発明が解決しようとする課題】
【０００３】  そのために、次のような問題点があった。
▲１▼  動物などの毛を中心とした穂であるため、穂の形態が制約されていた。
▲２▼  一筆で変化に富む線や面を描くことが比較的困難であった。
▲３▼  保水性がないため、水のない所では筆が使えなかった。
本発明は、以上の問題点を解決しようとするものである。
【課題を解決するための手段】
【０００４】  吸水性発泡ポリウレタン樹脂材を筆の穂に用いることによって、筆の穂の形態も多面的などにも出来うることを特徴とした筆の穂である。
【発明の効果】
【０００５】本発明は、次のような効果がある。
▲１▼  吸水性発泡ポリウレタン樹脂材を穂に用いることによって穂の形も自由にさまざまな形に加工でき、多面体の穂によって、一本の筆によって、さまざまな線や面が描ける。
▲２▼  吸水性・保水性によって、強く押さえたり、軽く押さえたりすることによって線や絵に変化を持たせることができる。
▲３▼  穂の形をさまざまに加工でき、図柄の形に加工すれば模様などを描くのに便利である。
▲４▼  保水性があるので、墨や絵の具を水に溶き、穂に含ませ、穂にキャップを被せると、携帯用になり、水がない所でも絵や字がかける。
▲５▼  穂を水洗うことによって、色を変えて利用できる。
【発明を実施するための最良の形態】
【０００６】以下、本発明の実施の形態について説明する。
本発明の筆の穂は、吸水性発泡ポリウレタン樹脂材を穂に用いるものであり、穂の形態は、従来のドングリの実型・平刷毛型などの常形のみでなく、多面体とか、円筒形とか、さまざまな形態に加工することができ、穂の首を筆の柄に取付けて使用するものである。その取付けも、穂を取り替えの出来るように穂の首を柄に差し込み、環などで固定するのがよい。
また、携帯用にする場合には、穂にキャップを被せる。
【図面の簡単な説明】
【０００７】
【図１】  本発明の斜視図である。
【図２】  本発明の使用図である。
【符号の説明】
【０００７】          １  筆の穂
２  穂の首
３  筆の柄
４  環
【図１】
2005343161.tif 000003
【図２】
2005343161.tif 000004
(57)【要約】【課題】裏打ち紙に糊を塗り、これを手で剥がして、作品の決めた位置にしわが出来ないように貼り付ける作業は、剥がした裏打ち紙が糊にぬれて非常に弱く不安定状態であるがゆえに、相当な訓練と熟練が必要で、万一失敗したときは折角の作品をだめにしてしまう。【解決手段】裏打ち補助具を使う事により、糊のついた裏打ち紙は安定し作品への貼り付けが容易となり、未熟練者でも裏打ちが失敗なくできる。【選択図】図１
2005343163.tif 000002
【特許請求の範囲】
【請求項１】
裏打ち紙を、透明で弾力性のある合成樹脂板に貼り付けて糊を塗ることを特徴とする、裏打ち補助具。
【請求項２】
書画などが書かれた作品を置く台板で、糊付けした裏打ち紙を作品に貼るとき容易に位置決めできることを特徴とする、裏打ち補助具。
【発明の詳細な説明】
【技術分野】
【０００１】本発明は、書画などが書かれた作品の裏打ち作業を容易にするための補助具に関する。
【背景技術】
【０００２】従来は、個人が裏打ち作業をするとき容易でかつ失敗することなく行うための補助具は無かった。【０００３】
【非特許文献１】  薮田  夏秋著「誰でもできる裏打のすすめ」
【発明の開示】
【発明が解決しようとする課題】
【０００４】しかしながら、従来の技術によれば、熟練された手作業によるため経験のない個人が失敗なく裏打ちするには困難である。そこで、この発明は、未熟練者でも裏打ち可能な補助具を提供することを課題とする。
【課題を解決するための手段】
【０００５】以上の課題を解決するために、第一発明は、裏打ち紙を、透明で弾力性のある合成樹脂板に密着させて糊を塗ることを特徴とする裏打ち補助具である。
また、第二発明は、作品を置く台板で、糊付けした裏打ち紙を作品に貼るとき容易に位置めできることを特徴とする、裏打ち補助具である。
【発明の効果】
【０００６】第一発明、または第二発明によれば裏打ち紙は糊を塗ったあとでも合成樹脂板と一体のため極めて安定する、この状態で作品を置いた台板の位置決めに端面に合わせて徐々に接着するため、容易に裏打ちができる。
【発明を実施するための最良の形態】
【０００７】この発明の一実施形態を、図１に示す。合成樹脂板１の裏に裏打ち紙２を密着し糊を塗る、この状態で取っ手３を持って作品４を置いてある台板５の位置決め突起に合わせて徐々に取っ手４を下ろして裏打ちする。【０００８】  「実施形態の効果」
この実施形態によれば、裏打ち紙２に糊を塗れば水分がしみて、裏打ち紙２は合成樹脂板１に密着し、しわなども簡単に伸ばすことができる。また、作品４に裏打ちするとき合成樹脂板１が透明であるため密着状態を見ながら容易に作業ができる、裏打ちがおわれば取っ手３を静かに持ち上げると台板５に置いただけの作品４は裏打ち紙２に糊付けされて台板５からはなれて、作品４と裏打ち紙２は合成樹脂板１に張り付きます。このまま乾燥させれば裏打ち紙２と作品４は完全に接着される、また、裏打ち紙と合成樹脂板は糊付けされにくいため乾燥すれば簡単に剥がす事が出来る。
【図面の簡単な説明】
【０００９】
【図１】この発明の一実施形態を示す斜視図である。
【図２】合成樹脂板の独立した斜視図である。
【図３】台板の独立した斜視図である
【符号の説明】
【００１０】  １  透明な合成樹脂板
２  裏打ち紙
３  取っ手
４  作品
５  台板
【図１】
2005343163.tif 000003
【図２】
2005343163.tif 000004
【図３】
2005343163.tif 000005
(57)【要約】【課題】仮どめや、包装紙などに貼ったセロハンテープを、たやすく奇麗に剥ぎとりたい。【解決手段】回転できる白墨９の外周に、テープの下面を接触させて粉末を付け粘着力を弱くした端末をカットして切口を剥がし易くした。【選択図】図２
2005343692.tif 000002
【特許請求の範囲】
【請求項１】
上下動と水平に軸回転できる円形白墨などの外周に粘着テープを接触させ、その粉末を付着させた切口をカットするテープカッター。
【発明の詳細な説明】
【発明の詳細な説明】
【技術分野】
【０００１】  貼付した粘着テープを容易に剥ぎ取る方法に関する。
【背景技術】
【０００２】  繰り出したテープの端末を
１．予め手で、又は装置で切口を折り曲げている。
２．カットする前で積み重ねた紙片を切口に付着させる装置がある。
【発明が解決しようとする課題】
【０００３】  手で切口を端折ることは面倒である。又、切口を折曲げたり、紙片を付着させる装置は複雑な機構となりコスト高になる。
貼付した紙片が切口から浮きあがって手に触り、又目障りともなり違和感がある。
【課題を解決するための手段】
【０００４】１．現在市販され最も普及使用されている据置型テープカッターを活用することとした。
２．鋸刃１を抜いたあとのデッキ２に納まる寸法の受板３を１：３比率に直角に曲げた長い方を脚４として細溝５に差入れ、短い方の上面両端をさらに上に直角に曲げて軸受６・６′を形成し、それぞれに軸孔７・７′を穿ける。
３．軸受６・６′の間に、中心に芯孔８をあけた円形の白墨９を挟み、軸棒１０を通して回転できるようにする。
４．受板３の下面には、クッション材として厚さ約１０ｍｍのスポンジ１１などを取つけて、デッキ２の上面に乗せる。
５．この際、脚４が細溝５の中に収まっていて、垂直且水平の姿勢が保持される。
６．更に、デッキ２全体の４面を囲む外枠１２を上から被らせ、テーパー状に下方が大きくなったところでテーピングして固定する。
７．外枠１２の前面上縁にはセットした白墨９の頂上より、僅かに低い高さの位置に鋸刃１を刻む。
８．外枠１２の後面１３の上縁は受板３の上面と同じ高さにする。
９．軸受６・６′の内側に納まる寸法にした軟質塩ビ板１４の先を３分割した両側を、直角に曲げて舌片１５・１５′とし、受板３の上に添わせる。中側は曲げずに上に向けて、テープの保持片１６とし、残りの下側部分は後面１３の上縁の外に貼りつけて受板３の動揺を防止する。
１０．外枠１２の両側面１７の内側の寸法は、受板３の左右の幅より大きくして、外枠１２が通過できるようにする。
１１．切口に粉を付けない通常の使用には受板３一体を抜くか、又は押下げて側面にあけたピン孔１８に釘をさし入れ、白墨９を沈下させ、テープに触れないようにする。
【作用】
【０００５】  ロール巻テープの端を摘んで繰り出し所要の長さになった位置でテープの粘着面を白墨９の外周に押しつけてから目視しつつ引き白墨の粉が付いている部位が鋸刃１の上を越えたら、真下に折って捩切ればよい。テープを、白墨９の外周に当てたときの力が受板３の下のスポンジ１１に作用し、クッションとなって、沈降し鋸刃１の先が現れて切れる。残った方の切口は白墨９の外周に軽く付着するか又は、離れても保持片１６に付着して次の繰り出しを待機している。かりに、白墨９を固定式にすると、白墨の付かない数ｍｍの空白が必ず鋸刃１との間に生じ、それが貼付したとき密着して所期の目的を不備なものとする  キーポイントである。切口に白墨９がほの白く見える程度でもめくれることなく軽く貼付しているので、目障りなく、爪がかりは容易である。
【発明を実施するための最良の形態】
【０００６】    図１は、本案の分解見取図で、図イに示すように、受板３の軸受６・６′の間に白墨９を挟み、軸棒１０を差してセットしたら下面にスポンジ１１を取りつけた脚４を図口のデッキ２に穿けた細溝５の中に差し入れて、垂直に立てる。次に図ハの外枠１２を上から被せて、下端を本体に密着させて固定する。この際、軟質塩ビ１４製の舌片１５は撓めて白墨９の下面と受板３の間に嵌め込む。
図２は、前記の手順でセットしたときの左後方からの斜視図を示す。
図３は、断面図で白墨９の外周にテープが触れている。
尚、図４・図５に示すように外枠１２を被せず、デッキ２より約１０ｍｍ下方において、前・後面に貫通する釘孔１９をあける。受板３と一体となる脚４の下面に嵌めたビニールの輪切りホースのクッション１１で、上下動に対応する長目の孔２０を穿け、更に前面に鋸刃板２１をセットした位置に合致させ、前孔２２を穿けて、釘２３を貫通させることも可能で、機能は前記外枠形と同じである。
【発明の効果】
【０００７】１．全国に普及し使用されている据置形テープカッターに、加工せずその侭の状態でセットできる汎用器である。
２．切口いっぱいに粉が付くので剥がし易い。
３．白墨は無機質で、長期間無害で且、コストが低い。
【図面の簡単な説明】
【図１】図イ・図ロ・図３に分解図
【図２】組立図
【図３】セットしたときの左側面図
【図４】釘孔２３でとめる、直接形の分解図
【図５】セットしたときの右側面図
【符号の説明】
１      鋸刃
２      デッキ
３      受板
４      脚
５      細溝
６６′  軸受
７７′  軸孔
８      芯孔
９      白墨
１０    軸棒
１１    スポンジ（クッション）
１２    外枠
１３    後面
１４    軟質塩ビ板
１５    舌片
１６    保持片
１７    側面
１８    ピン孔
１９    釘孔
２０    長目の孔
２１    鋸刃板
２２    前孔
２３    釘
【図１】
2005343692.tif 000003
【図２】
2005343692.tif 000004
【図３】
2005343692.tif 000005
【図４】
2005343692.tif 000006
【図５】
2005343692.tif 000007
(57)【要約】【課題】床面に傾斜がある場合でも重量物を安全に昇降させるために、リフト等の負荷のかかる支柱を簡易に操作し垂直出しする。【解決手段】支柱下部の負荷を支えかつ安全に垂直出しを可能にする、トラス構造のスライド式可変機構である。これにより垂直出しは視認しながら簡易に操作できる。【選択図】図１
2005343690.tif 000002
【特許請求の範囲】
【請求項１】
リフト等の支柱下部簡易垂直出し機構。
【発明の詳細な説明】
【技術分野】本発明は床面に勾配があっても１点操作でリフト支柱の垂直を保ち移動物体の上下時の重心を安定させる機構である。
【発明の開示】
【発明が解決しようとする課題】路肩・床面・水勾配地等の傾斜地で本格リフトを使用するまでもない場合の小型リフトの安全追求と高揚荷時における本体の安定性と格納時のコンパクト化。
【課題を解決するための手段】アームリフトの支柱を本可変機構により垂直に調整する。
本体はピンにて分解組立式である。
【発明の効果】上下移動の際に荷物の重心と支柱の中心を合致させることが出来る為、高揚程が得られ一点操作で安全敏速な作業ができる。
それにより天井・壁面への各種設備等の取り付けに利用大である。
【発明を実施するための最良の形態】支柱下端から上部６００〜７００ｍｍの所を支点として支柱下端をスライドさせることにより支点から上部の支柱先端はより大きく移動し安全敏速に垂直調整する。
フォークアームの昇降はシンプルな汎用チェーンレバーブロックが適する。
【実施例】図１は本機構をフォークアームリフトの支柱に採用した１実施例の見取図である。（試作写真参照）
【産業上の利用可能性】リフト支柱下端部に取付けた本装置のレバーを片手で回転操作する。本体付属の水準器を使用し１点で容易安全に垂直調整することができる為広く採用される可能性がある。
本機は一人で分解組立ができる構造であり軽トラック・バン等への積込みから搬送先での荷降しまで揚荷装置のない所でも重量物を安全に操作することができる。
【図面の簡単な説明】図１
アームリフト支柱の１点垂直可変機構の見取図である。
図２
本機構採用アームリフトの立面図である。
図３
本機構採用アームリフトの平面図である。
４のスライドシャフトは５の支柱下端部前方を左右に貫通し、その両端は７のフレームに固定されている。支柱左右の２のブレースが１を頂点として後方と側方から見て三角形を構成している。
３でボルトを回転操作することで１の支点を半径として支柱下部が揺動することにより６の水準器にて水平（支柱の垂直）が確認できる。
本体前後の安定性はアームリフト構造のため７のキャリア部が長く、アームを上げるほどに重心が支柱方向へ移動し安定する。
荷揚げ地点まではキャリア部に乗せて安全に移動できる構造である。
【符号の説明】
１支柱中間支点            トラス構造を構成する頂点
２ブレース                トラス構造の構成部（ピンにて２分割式）
３ラチェットハンドル      支柱の垂直調整ボルト用
４スライドシャフト        ハンドルによる滑動部
５支柱下部支点            スライドシャフトとの揺動ピンポイント結合部
６水準器                  支柱の垂直確認用
７フレーム                水平移動運搬部（ピンにて２分割式）
８キック式ブレーキ        勾配地での固定用
【図１】
2005343690.tif 000003
【図２】
2005343690.tif 000004
【図３】
2005343690.tif 000005
(57)【要約】［課題］  新聞、本を容易に束ねることが出来る整理器を提供する。［解決手段］  ゴミ箱の形状をした容器に新聞、本を入れ、下部より装着された紐をひっぱり上げ、容易に結び整理できることを特徴とする【選択図】    図１
2005343687.tif 000002
【特許請求の範囲】
【請求項１】
家庭用ゴミ箱の形状をした容器の四側面にＶ字形のきれこみがあり、その底板は取り外すことが出来、底板の下部には紐のロ−ルが装着出来、底板の上部には十字状の溝があり、積み重ねた新聞、本を束ね、整理が出来るようにした新聞、本の整理器。
【発明の詳細な説明】
【技術分野】
【０００１】この発明は、新聞、本を容易に紐で束ね整理することが出来るようにした、新聞、本の整理器である。
［従来の技術］【０００２】現状では新聞、本を容易に束ねることが出来る用具は見当たらない。
［発明が解決しようとする課題］【０００３】この発明は、新聞、本を容易に束ねて整理する方法を解決しようとするものである。
［課題を解決するための手段］【０００４】いまこれを、図面について説明すれば、
（イ）家庭用ゴミ箱の形状をした容器の四側面にＶ字形切れ込みがあり底板は取りはずすことが出来る。底板の底部は紐のロ−ルが装着出来、上部には十字状の溝が入っている。
（ロ）あらじめ底板の紐を溝に二方から十字状に通しておき、重ね上げた本、新聞を、紐を二方から引っ張り上げ十字に結ぶ。
［発明の実施の形態］【０００５】以上の構成であるから、まず、新聞、本を底板に積み上げ、その後紐をひっぱり上げ、上部で十字に結ぶ。
［発明の効果］【０００６】従って、従来難儀していた新聞、本の整理が容易に出来る。
【図面の簡単な説明】
【０００７】［図１］本発明の斜視図である。
［図２］取り外した底板である。
【図１】
2005343687.tif 000003
【図２】
2005343687.tif 000004
(57)【要約】【課題】  １つのドアを開閉することで同時に他のドアも連動して開閉できるドア開閉装置の提供。【解決手段】  複数の小物入れのそれぞれに設けられるドア３、４をリンク７で連結したドア開閉装置。ドア３、４は軸回転で開閉する。複数の小物入れのそれぞれに設けられるドア３、４をリンク７で連結したので、１つのドア３を開閉することで該ドア３とリンク７で連結されている他の小物入れのドア４を同時に開閉できる。したがって、従来に比べてドア３、４の開閉操作性が向上する。【選択図】        図４
2005343387.tif 000002
【特許請求の範囲】
【請求項１】
複数の小物入れのそれぞれに設けられるドアをリンクで連結したドア開閉装置。
【請求項２】
前記ドアは軸回転で開閉する請求項１記載のドア開閉装置。
【発明の詳細な説明】
【技術分野】
【０００１】
本発明は、車両用小物入れ等のドアを開閉するドア開閉装置に関する。
【背景技術】
【０００２】
車両によっては、コンソールパネルやインスツルメントパネル等に、複数の小物入れが隣接して設定されているものがある。
【０００３】
しかし、従来、複数の小物入れの各ドアはそれぞれ独立している。そのため、複数の用途の異なる小物収納装置を同時に使用したい場合、または、複数の蓋付きカップホルダを同時に使用したい場合等、各々のドアを個別に開閉しなければならない。
【特許文献１】特開平１１−９１４２７号公報
【発明の開示】
【発明が解決しようとする課題】
【０００４】
本発明が解決しようとする問題点は、複数のドアを一つ一つ開け閉めしなければならないことである。
本発明の目的は、１つのドアを開閉することで同時に他のドアも連動して開閉できるドア開閉装置を提供することにある。
【課題を解決するための手段】
【０００５】
上記目的を達成する本発明はつぎの通りである。
（１）  複数の小物入れのそれぞれに設けられるドアをリンクで連結したドア開閉装置。
（２）  前記ドアは軸回転で開閉する（１）記載のドア開閉装置。
【発明の効果】
【０００６】
上記（１）または（２）のドア開閉装置では、複数の小物入れのそれぞれに設けられるドアをリンクで連結したので、１つのドアを開閉することで該ドアとリンクで連結されている他の小物入れのドアを同時に開閉できる。したがって、従来に比べてドアの開閉操作性が向上する。
【発明を実施するための最良の形態】
【０００７】
本発明実施例のドア開閉装置を、図１〜図４を参照して説明する。
本発明実施例のドア開閉装置は、図１に示すように、複数の小物入れのそれぞれに設けられるドアをリンクで連結した装置である。
本発明実施例では、蓋付き小物入れが２個隣接して設けられている場合を例にとって説明する。
ドア３、４は、取り付けパネル１に設けられる２箇所の開口を開閉するドアである。
各ドア３、４は、閉状態にあるときに下方に延びた一対のアーム５、６を有する。
一方のアーム５の延び方向先端部に設けられた回転軸５ａは、小物収納部２に設けられる軸穴２ａに挿入される。回転軸５ａは、軸穴２ａ内で小物収納部２に対して回動可能である。
他方のアーム６の延び方向先端部には、少なくとも一部に平面部をもつ軸穴６ａが設けられている。
【０００８】
リンク７は、支持体８を介してドア３と連結されており、支持体９を介してドア４と連結されている。リンク７は、直線リンクであってもよく、湾曲リンクであってもよい。また、リンク７は、一部品から構成されていてもよく、複数部品から構成されていてもよい。リンク７は、支持体８、９と相対回転可能に連結されている。
【０００９】
支持体８、９は、アーム６の軸穴６ａに対応する断面形状を有する突起１０を有している。突起１０は、小物入れ２に設けられる穴２ｂを挿通して軸穴６ａに挿入される。突起１０が軸穴６ａに対応する断面形状を有するので、ドアと支持体とが相対動することはない。
【００１０】
つぎに、本発明実施例の作用を説明する。
ドア３、４が支持体８、９を介してリンク７で連結されているので、図３、図４に示すように、ドア３またはドア４のいずれか一方を開け閉めするだけで、もう一方の開け閉めを同時に行うことができる。そのため、従来に比べて、ドアの開閉操作性が向上する。
支持体８、９を介しているので、ドア３、４の回動軸とは異なる位置で（オフセットした位置で）ドア３、４をリンク結合することができる。
【図面の簡単な説明】
【００１１】
【図１】本発明実施例のドア開閉装置を備える小物入れの分解斜視図である。
【図２】本発明実施例のドア開閉装置を備える小物入れの、ドア軸部での断面図である。
【図３】本発明実施例のドア開閉装置を備える小物入れの、閉位置にあるドアを開ける時の断面図である。
【図４】本発明実施例のドア開閉装置を備える小物入れの、開位置にあるドアを閉める時の断面図である。
【符号の説明】
【００１２】
１  取り付けパネル
３，４  ドア
５、６  一対のアーム
７  リンク
８、９  支持体
【図１】
2005343387.tif 000003
【図２】
2005343387.tif 000004
【図３】
2005343387.tif 000005
【図４】
2005343387.tif 000006
(57)【要約】【目的】  小麦、重曹、ブドウ糖の微細粉体粒子の複合体の粒子と、ごく少量の水の水滴混合による快適で快い、良質、高度な人の皮膚細胞へのマッサージ効果を確保せんとするものであります。【効果】  微細粉体粒子の複合体なので、適度の水の混合滴水の大小、多少により、粒子の高度の硬軟、粘りの強弱の人の好みの多様なるマッサージ効果を確保することが可能であります。  尚、複合体粒子の複合作用により、より一層の良質、高度な人の皮膚細胞のマッサージ効果を得ることが出来ます。【構成】  小麦、重曹、ブドウ糖の微細粉体粒子の複合体。【特許請求の範囲】
【請求項１】
小麦、重曹、ブドウ糖の複合微細粉体粒子による、マッサージ用粉体粒子。
【発明の詳細な説明】
【目的】
【０００１】  小麦微細粉体粒子は、極少量の水滴との混合により、快い粘りと滑らかさを、人の皮膚細胞へ与えます。この小麦粉体粒子による人の皮膚細胞へのマッサージ効果と、さらに良質な快適性と高度なマッサージ効果と、さらに小麦、重曹、ブドウ糖の粉体粒子の複合によりより一層の良質で高度で快適なるマッサージ効果を確保することを目的とするものであります。
【発明の効果】
【０００２】  微細な粉体粒子の複合体の、この粒子体に混合滴水する水の大小、多い少ないにより、粒子体の硬度の硬軟、粘度の強弱のある、人の好みに応じた、粒子マッサージが行え、人の好みに対する多様な適正に優れていることであります。尚、小麦粉体粒子が持つ、粘りと滑らかさはまことに快い快適性を与えます。また、小麦、重曹、ブドウ糖の複合粉体粒子が持つ良感触のより一層の快い快適なマッサージ効果を確保するものであります。
【構成】
【０００３】  小麦、重曹、ブドウ糖の微細粉体粒子の複合したものであります。
(57)【要約】【課題】鎮痛消炎を目的とする従来の湿布薬のほとんどがトウガラシエキスによる発熱効果に基づくものであり、効果の持続性に乏しく、入浴時の刺激感や直射日光下での作業時には使用が不可能である等の問題があった。【解決手段】新陳代謝の活発化・血行改善に伴う疲労回復効果、殺菌作用、鎮静作用、保温作用等の薬理作用を有するにんにくに着目し、にんにくを主成分とする湿布薬の開発を行った。にんにく特有の臭いに対しては、ｌ−メントールを併用することで消臭に成功した。にんにく湿布薬の使用により、高い鎮痛消炎作用が得られるとともに、即効性および効果の持続性が認められた。入浴時の貼布部位の刺激感もなく、直射日光下での使用も可能となった。【選択図】なし【特許請求の範囲】
【請求項１】
にんにく湿布の製造、販売
【発明の詳細な説明】
【技術分野】
【０００１】  本発明は、肩こり、腰痛、関節痛、筋肉痛、筋肉疲労、打撲、捻挫、骨折痛等に対する鎮痛消炎を目的とする湿布薬に関する。
【背景技術】
【０００２】  現在市販されている、肩こり、腰痛、関節痛、筋肉痛、筋肉疲労、打撲、捻挫、骨折痛等の鎮痛消炎を目的とする湿布薬の多くがトウガラシエキスを主成分とするものであり、トウガラシエキスが有する温熱効果が患部の血液循環を改善し、上記の症状を緩和させる。【０００３】  トウガラシ以外に血行をよくする食品として、にんにくがある。一般的に、にんにくには、食用により疲労回復・新陳代謝の活発化（ビタミンＢ１の活性化）、動脈硬化の予防（血液凝集抑制作用、血圧・血清コレステロール低下作用）、また強精作用、殺菌作用、鎮静作用、保温作用、食欲増進作用といった効果があることが知られており、疲労回復を目的としてにんにくの成分でもあるアリシンとビタミンＢ群を投与する「にんにく注射」といった治療が一部の医療機関において施行されている。にんにくの主要な有効成分はアリシン、スコルジニンであるが、アリシンについてはそれ自体が強い殺菌作用を有するとともに、体内でビタミンＢ１と結合しアリチアミン（ビタミンＢ１化合物）になることにより、ビタミンＢ１と同様に糖質代謝（エネルギー産生）を促進し、血行をよくし、疲労回復につながることが確認されている。また、アリチアミンは体内吸収も非常に良く、ビタミンＢ１よりも長時間体内に留まることができるため作用が長時間に亘り持続する。スコルジニンについては、酸化還元作用が強く、新陳代謝を促進し、血行を改善する等の薬理作用を有することが確認されている。一方、トウガラシの成分であるカプサイシンはアドレナリンの分泌促進作用に基づく体脂肪代謝促進作用を有しており、身体の脂肪を燃焼させてエネルギー消費を促進させることから、肥満を予防する効果があるとともに、湿布薬として塗布した場合、皮膚の温度を上昇させ、血行を良くし、鎮痛効果を示すことが知られている。即効性で有酸素運動時と同様の発熱効果を有するが、作用時間は短く、効果は一過性である。
【発明の開示】
【発明が解決しようとする課題】
【０００４】  以上に述べた鎮痛消炎を目的とする従来の湿布薬では温熱感による効果は得られるものの、持続性に乏しく、湿布薬を貼っていなければ効果が得られないこと、入浴前３０分から６０分に湿布薬の使用を中止しないと入浴時に貼付部位に火傷のような痛み（刺激感）を感じること、また、農業等の直射日光下での作業に従事する際には、貼付部位の熱感の増強により、使用を中止せざるを得ないといった状況が生じていた。【０００５】  にんにくについては、食用により上述の効果が得られることは知られているが、局所的な鎮痛消炎を目的とする簡便な使用法は開発されておらず、にんにくを主成分とし、新陳代謝の活発化・血行改善に伴う疲労回復効果、殺菌作用、鎮静作用、保温作用等の薬理作用に基づく湿布薬が発明できれば、有用ではないかと考えた。しかしながら、にんにくの作用を損なわずに貼付剤として使用するための方法が検討されていないこと、また有効性は認められてもアリシンに由来するにんにくの特異的な臭いにより使用に抵抗を感ずる場合が考えられることから、湿布薬としての活用方法ならびににんにくの臭いに対する対策の検討が必要と考えられた。
【課題を解決するための手段】
【０００６】  にんにくを湿布薬として利用するために、家庭用のジューサーで、にんにく１ｋｇを搾り出し、それにより得られたにんにくの搾り汁約６００ｃｃを市販のバットに入れ約２日間そのままにし、濃縮させた。その結果、外用に供するための油紙に塗布することが可能となった。なお、塗布を簡便にするため、また濃度を調整するために、上記の搾り汁に湯１５０ｃｃ、酢１５０ｃｃを加えた。濃縮を早めるには、天日干しがよい、一日保湿効果にレシチン配合２％【０００７】  問題となるにんにく特有の臭いについては、上述の溶液中にｌ−メントール（日本薬局方収載）０．５ｇを消毒用エタノール（日本薬局方収載）３０ｃｃで溶かしたものを加えることにより、ほとんどにんにくの臭いがなくなった。【０００８】  最後に、湿布薬貼布時のかぶれ防止を目的として、クレゾール（４２〜５２ｖｏｌ％、日本薬局方収載）５ｃｃを上述の溶液に加え、その溶液を刷毛で油紙に延ばした後、その上に保護用のビニールを貼った。
【発明の効果】
【０００９】  上述の方法により製造したにんにく湿布の使用により、従来のトウガラシエキスを主成分とする湿布薬に比べ、肩こり、腰痛、関節痛、筋肉痛、筋肉疲労、打撲、捻挫、骨折痛等に対するより高い鎮痛消炎作用が得られるとともに、即効性、持続性が認められ、数回の貼布により症状が改善し、その後の貼布を必要としなくなる場合も認められた。入浴時における貼布部位の刺激感については、入浴直前に湿布薬を剥がした後に入浴を行っても、当該部位に刺激感を感じることは全くなかった。また、直射日光下での使用に際しても、貼付部位の熱感の増強により、使用を中止せざるを得ないといった状況は認められなかった。【００１０】  にんにく湿布薬の製造にあたって、十分な粘性を有する状態にし、調整を行った上で、油紙への塗布を行った結果、使用中に成分が湿布薬より流れでる、漏れる、また下着等に付着するといった不利益は認められなかった。【００１１】  にんにく湿布使用時における、にんにく特有の臭いについては、上述のとおり、ｌ−メントールを併用することにより、微かに臭う状態にまで臭いを消すことができた。使用していることを知らない第三者と接する場合には、その使用が判明することはほとんどないと考えられ、にんにくの臭いに抵抗を感じる人にあっても使用に問題はないと考える。
(57)【要約】【課題】  鋏の刃裏を研磨する器具を提供する。【解決手段】  研磨器の表面を半径９００ミリアールの勾配をもたせて形成し、表面に細かい研磨ペーパーを貼り、引いて鋏を研磨する為にガイドをつけて、刃の先端裏刃の樋状（凹部）における刃側端部のみだけが研削されるのを特徴とする器具である。【選択図】  図１
2005177966.tif 000002
【特許請求の範囲】
【請求項１】
本体の研磨面を半径９００ミリアールの曲線に形成し、ガイドを付ける事により、鋏の刃裏における樋状の刃側端部を研磨しやすくし、研磨ペーパーを貼り替える事により、一定の切れ味を持続続出来る事を特徴とする鋏の裏刃の研磨器である。
【発明の詳細な説明】
【技術分野】
【０００１】本発明は鋏の裏刃研磨をするための器具であって、とりわけ理容業に向けた専用鋏を研ぐために適した研磨器に関するものである。
【背景技術】
【０００２】従来、理容向け鋏は一般の事務鋏と異なり、刀の裏面に長さ方向に沿って反り（アール）が形成されている（これを樋状その凹部底を樋底という）。したがって通常の砥石で研いだ場合は、刃どうしが交差する刃の端部分、いわゆる裏刃一番のみならず刃の裏面全面が研磨されてしまう。鋏の裏刃一番すなわち刃裏の樋状の刃側端部だけを研磨する器具はなかった。
【発明の開示】
【発明が解決しようとする課題】
【０００３】（イ）平面砥石で研ぐ為に上からの圧力で鋏の先端裏が減る。
（ロ）砥石で研磨をした時に裏刃が粗くなる。
（ハ）裏スキのアール、ヒネリをなるべく維持をしたい。
【課題を解決するための手段】
【０００４】本体の研磨面を一定のアールとして形成し、粒子の細かい研磨ペーパーを貼り、使用しやすくする為にガイドをつけた。
【発明の効果】
【０００５】鋏の刃裏における樋状の刃側端部であるところの、裏刃一番だけが研磨され、鋏の開閉がスムーズになり、音が静かになり切れ味がよくなる。
【発明を実施するための最良の形態】
【０００６】  以下の本発明の実施の形態について説明する。
（イ）  図１は本発明の一実施例を示す斜視図である。
その上辺を半径９００ミリアールの曲線を描いて形成した本体上（１１）と、この本体上部（１１）の土台となる本体下部（１１１）を固定金具（６）にて接合固定する。
本体上部（１１）は本体下部（１１１）に対して垂直となるように固定する。
（ロ）  前記本体上部（１１）の表面を幅２．５ｃｍ程の平らな面に形成し、鋏を研磨する際、片刃の背側先端側があたる側に板状のガイド（２）を縦長に取り付け固定する。
（ハ）  前記本体上部（１１）の裏面に研磨ペーパーを接着する。
このペーパーの上部端部、即ち本体背面方向の端はガイドの端と１〜２ｍｍの間隔があくように上記ペーパーを接着する。本発明において研磨ペーパー接着面の上端辺部分と、ガイド（２）との間を数ミリスペースを空けたのは、例えば図１において、鋏の左片刀（刀側が右に形成）をもって左下方向から右上ガイド（２）方向へ刃を研ごうとする際、鋏の背側をガイド端に沿うようにしながら、刃側をペーパー研磨部にあてて前後に押し引きすることによって研ぐことになるが、仮に本発明おいてに前記スペースが形成されていなければ、刃裏の全体を研いでしまうこととなり、樋状（凹部）が失われて鋏の切れ味が悪くなるためである。
（ニ）  鋏の裏刃を研磨する時に本体が動かないように本体下部の全面と背面位置にＬ字型の補助器具（３）を取り付け、その接地面には滑り止め（４）を貼る。
なお本発明は理容鋏の研磨において特にそのすぐれた特性を発揮するが、用途としてこれに拘泥するものではなく、広く一般の事務用鋏の研磨にも適する事は言う間でもない。
【図面の簡単な説明】
【０００７】
【図１】本発明の斜視図
【図２】本発明の背面図
【符号の説明】
【０００８】１．本体    １１．本体上部    １１１．本体下部
２．ガイド    ３．補助器具    ４．滑り止め
５．研磨ペーパー    ６．固定金具
【図１】
2005177966.tif 000003
【図２】
2005177966.tif 000004
(57)【要約】【課題】  液体の忌避、芳香、消臭材料等を円滑な徐放性の形態とし、従来ある忌避、芳香等特有の効能を減ずることなく持続性を持たせ、環境に適合した製品を提供する。【解決手段】  上記課題を克服するに当たっては、徐放性にとどまらず、流動性、低沸点性、あるいは昇華特性のある物質が対象であるため、これらの形態の取り扱いや、品質安定性、作業上での安定・安全性などが配慮できる手法としてケイ酸ナトリウム等の安全無害な水ガラスを主剤としている。これに忌避、芳香、さらには消臭機能を有する物質を適量加えて混合することで相分離現象を起こさない、いわゆる新規複合体とする。さらにこの水ガラスの特性を利用して非可逆ゲル化させ、徐放性効果のみならず、製品としての取り扱いの良さを配慮した形態とする。ただし、このゲルは目的に応じてゾルに近いものでもよい。【特許請求の範囲】
【請求項１】
水ガラスと香気成分や消臭、あるいは忌避成分等とを複合化して得られる水ガラス系複合体。
【請求項２】
液状の忌避、芳香、消臭機能を有する物質などに、ケイ酸ナトリウム等の水ガラスを主成分とする無機ゲル化剤を混合して複合させ、ゲル状または固化物としたことを特徴とする、水ガラス系複合体の製造方法。
【発明の詳細な説明】
【技術分野】
【０００１】  この発明は忌避成分、芳香成分、あるいは消臭成分などの匂い成分を徐放させてその効能を長時間保持することを目的とした複合体に関するものである。
【背景技術】
【０００２】  近年、木酢液又は竹酢液などの植物由来の有機酸やヒノキ油などの植物抽出液が有する忌避成分や芳香成分、あるいは消臭成分などの効能が、石油化学物質に替わる環境適合性物質として注目を浴びている。これらの匂い成分は通常、液体であるため取り扱い上の不便さや、揮発、あるいは昇華性であるためこれらの成分を長期間有効に使用できない問題点があり、これら匂い成分を有効に使用するためには徐放性を付与する課題があった。しかし、従来の徐放性複合体の製法技術においては、有機高分子材料が主流で、アルギン酸ナトリウム（例えば特許文献１参照）、ゼラチン（例えば特許文献２参照）、寒天（例えば特許文献２参照）などの天然材料であっても、製造時に過熱や冷却が必要（例えば特許文献３参照）であったり、腐敗や変質など品質の安定性に問題があった。又、品質安定性の高い合成高分子材料は難分解性物質のため処分に問題が残った。
【特許文献１】特開平８−５９４２１号公報（第３頁、実施例１）
【特許文献２】特開２００１−９０１８号公報（第２頁、請求項１）
【特許文献３】特開２００３−１１９１０４号公報（第２頁、請求項１）
【発明の開示】
【発明が解決しようとする課題】
【０００３】  そこで、これらの課題を克服すべく、目的とする有効成分をゲル状、あるいは固化物とすることでこれを解決する。
【課題を解決するための手段】
【０００４】  前記課題を解決するためこの発明では次のような技術的手段を講じている。この発明の徐放性複合体は、液状の忌避、芳香、消臭機能を有する物質などに、ケイ酸ナトリウム等の水ガラスを主成分とする無機ゲル化剤を混合して複合させ、ゲル状または固化物としたことを特徴とする。【０００５】  ここで水ガラスすなわち無機ゲル化剤とは、無機鉱物；ケイ酸ナトリウム、ケイ灰石、ケイ酸マグネシウム、ケイ酸三カルシウム、ケイ酸アルミニウム、塩化マグネシウム等、で構成されるゲル化剤。【０００６】  この徐放性複合体は無機質を基材とするため、腐敗や変質を抑制するだけでなく、効能消失後の残さはシリカなど無害な無機質が主成分となり、土壌に還元しても何ら問題はない。【０００７】  前記、徐放性複合体はゼラチンや寒天などとは違い加熱及び冷却などが不要で常温加工すれば目的物質が得られる。配合により、ゲル状やペースト状あるいは固化物にすることも可能である。【０００８】  忌避成分や芳香成分、あるいは消臭成分などの効能を有する植物由来の有機酸や植物抽出液を次に例示する。植物由来の有機酸等とは、熱分解によって得られる、木酢液、竹酢液の他、そのタール分並びにヤシ、ワラ、籾殻等から出来た有機酸及びタール分等で、天然忌避あるいは消臭材料としてこれらを用いて好適に実施することができる。芳香性物質とは、杉や檜など植物から抽出された高級アルコール系物質、あるいはそれらの木粉類、さらには化粧用芳香物質を言い、天然芳香あるいは消臭材料としてこれらを用いて好適に実施することができる。
【発明の効果】
【０００９】  最終的にできたゲル状または固化物は安定した非可逆ゲルを形成しているため、溶解や流出することがなく、液体忌避、芳香、消臭材料特有の効能を効果的に発揮する徐放性複合体を提供することができる。【００１０】  加熱や冷却を行わず常温で加工すればゲル状、あるいは固化物が得られるうえに、従来土木や工業材料で大量に使用されてきた安価な無機材料を使用した為、環境に無害で経済的な徐放性複合体を提供することができる。
【発明を実施するための最良の形態】
【００１１】  用途によりペーストに近い状態から十分固化された複合体に至るまでそれぞれ用途が考えられる。次に、用途や使用材料別にこの発明の構成をより具体的に説明する。
【実施例】
【００１２】  次の処方により、水及び無機ゲル化剤を攪拌混合した後、竹酢液を入れて攪拌し型に充填した。そして、約８時間常温養生することにより、竹酢液を配合したゲル状徐放性複合体を作成した。無機ゲル化剤１０重量％  水（蒸留水）１０重量％  竹酢液８０重量％  ｐＨ調整剤  適量
この徐放特性については、図１実施例１２参照。【００１３】  実施例１２と同様にして、次の処方により竹酢液を配合したゲル状徐放性複合体を作成した。無機ゲル化剤５重量％  水（蒸留水）１５重量％  竹酢液８０重量％  ｐＨ調整剤  適量
この徐放特性については、図１実施例１３参照。【００１４】  実施例１２と同様にして、次の処方により木酢液を配合したゲル状徐放性複合体を作成した。無機ゲル化剤２０重量％  水（蒸留水）２０重量％  木酢液６０重量％  ｐＨ調整剤  適量
この徐放特性については、図１実施例１４参照。【００１５】  次の処方により、水、界面活性剤及びヒノキ油を攪拌混合した後、無機ゲル化剤入れて攪拌し型に充填した。そして、約８時間常温養生することによりヒノキ油を配合したゲル状徐放性複合体を作成した。無機ゲル化剤１０重量％  水（蒸留水）９０重量％  界面活性剤  適量  ヒノキ油  適量  ｐＨ調整剤  適量【００１６】  実施例１８と同様にして、次の処方によりラベンダー油を配合したゲル状徐放性複合体を作成した。無機ゲル化剤１０重量％  水（蒸留水）９０重量％  界面活性剤  適量  ヒノキ油  適量  ｐＨ調整剤  適量【００１７】  上記の結果、いずれも安定した匂い成分を発するゲル状徐放性複合体となった。これら徐放性複合体は、配合及び形状並びに大きさなどに応じて効能の持続期間は異なり、重量の減少に伴い効果は消滅する。
【図面の簡単な説明】
【００１８】
【図１】  上記実施例における１ヶ月間の徐放特性を時間の経過と重量との関係を用いて示したものである。
【図１】
2005177403.tif 000002